(57)【要約】【課題】    従来の技術であれば結び目が大きくループ状のため、地肌から浮いた感じがでてしまう。また、エクステンション用毛髪を取り付けるときに使用する道具であるリングコームで、自毛の束をすくい上げたあと、邪魔になる周囲の自毛を、シングルピン２個から３個で留める作業を行うため、作業時間がかかった。【解決手段】    結び目が豆粒状で小さく地肌に沿った取り付けのため、違和感も解消され、取り付け時間も短縮される。そして、エクステンション用毛髪を取り付ける際に使用するシングルピンとリングコームの２つの道具を一体化することにより、更に作業の時間が短縮され、取り付けがしやすくなる。【選択図】  図２
2005299058.tif 000002
【特許請求の範囲】
【請求項１】
装着毛であるエクステンション用毛髪（以下ＥＸと称する）の取り付けの時に使用する、シングルピンとリングコームの二つの道具を、一体化した道具。
【請求項２】
一体化したＥＸ取り付け用道具は、スティック部分で自毛束を取り分け、プラスチックの板の切り込み部分から、その自毛束を入れて切り込み止まり部分で固定し、作業をしやすくすることを特徴とした道具。
【請求項３】
地肌から複数本の自毛を取り分けて束ねた自毛束と、複数本のＥＸ用毛髪の束とを交差させ、前記自毛束との交差部の、左右のうち片側一方で自毛束とＥＸ束を一緒に２回転以上ねじり、もう片側のＥＸ束と自毛束を交差させる。次に、ＥＸ束ともう片側のＥＸ束同士を１回以上ねじり、真ん中にくるＥＸ束と自毛束を交差させる方法。
【請求項４】
請求項３の方法により、ＥＸの取り付け部分が豆粒状になる取り付け方法。
【発明の詳細な説明】
【技術分野】
【０００１】    本発明は、髪の毛（自毛）にヘアーエクステンション用毛髪（以下ＥＸと称する）を編みこむ際に、ねじりを加えることにより、取り付け部分を縮小し違和感が軽減する。また、編みこみ方法を簡素化し、加えて、もう一つの本発明におけるＥＸ取り付け用道具を用いることで、さらに取り付けの時間が短縮され、作業がスムーズに行える。
【背景技術】
【０００２】    髪の毛の長さを見た目上、伸長する方法として、自毛にＥＸを取り付ける方法がある。ＥＸ色としては黒や茶色などさまざまで、色の異なるＥＸを何種類も混ぜ合わせて束ねることにより、自毛に近い色のＥＸを束にして自毛に取り付ける。【０００３】    従来のＥＸの取り付け方法について説明する。まず、地肌から複数本の自毛を取り分けて束ねた自毛束と、複数本のＥＸを束ねた束とＥＸを交差させ、自毛束とＥＸ束との交差部分左右の位置で自毛をＥＸに少なくとも１回転ずつ巻きつけ、自毛束の先端側およびＥＸ束の両端側を交差部分で編み合わせ、ＥＸ束の一部を取り分けて編み合わせ部分に巻きつけた後、熱融着させる。【０００４】    その編み合わせ工程と巻きつけ工程との間に、自毛束の先端側を引っ張りつつ、ＥＸ束を地肌側へ移動させて交差部を地肌側へ移動させることにより、交差部において自毛束の先端側につながる部分が下側になって巻きつけられた状態にする。そのとき交差部を弾性糸で結びつけて固定する。交差部を地肌まで移動することで、自毛とＥＸ束がしっかりと固定される。その交差部分はループ状になる。【０００５】    尚、ＥＸを取り付けるときに使用する道具には、リングコームとシングルピンがある。作業工程のなかで、リングコームについては柄の先端部分で、ＥＸを取り付ける部分の自毛の毛束を分けて、すくい取るときに使う。そして、取り付ける自毛の束の周囲の髪の毛が、邪魔にならないように、シングルピンを２個から３個使用して止め、ＥＸの取り付けが終わったらはずす。ＥＸをつける範囲にすべて作業を行う間、この工程が交互に行われる。【０００６】
【特許文献１】    特公２００２−２０９２２号公報  第１図（Ｊ）
【発明の開示】
【発明が解決しようとする課題】
【０００７】    従来の技術であればＥＸ束の左右両側に自毛束を一回ずつ巻きつけて、仕上げに三つ編みを行うため結び目が大きくループ状のため、地肌から浮いた感じがでてしまう。ＥＸを取り付けるときに使用する道具であるリングコームで、自毛の束をすくい上げたあと、邪魔になる周囲の自毛を、シングルピン２個から３個を装着し、そして取り外す作業を交互に行うことで、作業時間がかかった。
【課題を解決するための手段】
【０００８】    そこで本発明は、地肌から複数本の自毛を取り分けて束ねた自毛束と、複数本のＥＸ用毛髪の束とを交差させ、前記自毛束との交差部の、左右のうち片側一方で自毛束とＥＸ束を一緒に２回転以上ねじり、もう片側のＥＸ束と自毛束を交差させる。次に、ＥＸ束ともう片側のＥＸ束同士を１回以上ねじり、真ん中にくるＥＸ束と自毛束を交差させる方法を用いることで、地肌に沿った結び目になり、ループ状の結び目に比べて、約２分の１の大きさの豆粒状になる。そして、ＥＸを取り付ける時間も短縮される。また、作業をしやすくするために、使用する２つの道具であるシングルピンとリングコームを一体化する。【０００９】    本発明である取り付け方法に加えて、作業がスピーディーに行える道具も提供する。内容は、ＥＸを取り付ける自毛束をすくいとるために使用するリングコームの代わりが、ステッィク部分となり、この部分で自毛をすくい取ることができる。そして、ＥＸを取り付ける際に邪魔になる、その周囲の自毛を留めるために使用するシングルピンを２個から３個使う代わりになる部分が、スティック部分の反対側になるプラスチック製の板になっている。この板には切り込みがあり、そこにＥＸを取り付ける自毛束を通し、切り込み止まりで固定する。また、周囲の自毛を押さえる役目もするので、周囲の毛が作業の邪魔にならない。このように、二つの道具を一体化する。
【発明の効果】
【００１０】    本発明は、結び目が豆粒状で小さく地肌に沿った取り付けのため、違和感も解消され、その際にかかる時間も短縮される。
また、ＥＸを取り付ける際に邪魔になる、その周囲の自毛を留めるために使用するシングルピンを２個から３個使う代わりに、一枚のプラスチック板をつかうようにする。そして、そのプラスチック板と、自毛を取り分けるときに使うリングコームとを一体化することにより、取り付け取り外しなど道具の持ち替えを最小限に抑えられるなど、作業がよりしやすくなり時間短縮にもなる。
【実施例】
【００１１】    図２図３は、実施例を示す工程である。この実施例は本発明の第１の局面を適用したものである。図２図３を用いてこの実施例を説明する。ただし、本発明の第１の局面はこの実施例に限定するものではなく、特許請求の範囲に記載された要旨の範囲内で種々の変更が可能である。【００１２】    （Ｂ）ＥＸ束７を取り付ける自毛６を、ＥＸ取り付け用の道具のスティック部分１で取り分ける。【００１３】    （Ｃ）では（Ｂ）の段階で取り分けた自毛６を、ＥＸ取り付け用道具のプラスチック板２の部分の切り込み部分３に入れ、切り込み止まり４で固定する。その際、周りの髪の毛が邪魔にならないようにプラスチック板２で押さえる。そして、ＥＸ束７を自毛６に取り付ける作業を行う。【００１４】    （Ｄ）ＥＸ束を取り付けたい自毛を地肌８から取り分けて自毛束６とし、その自毛束６を手前にして、作業者から見てＥＸ束７を交差させる。自毛束６の地肌側を６ａ、先端側を６ｂとする。また、ＥＸ束７の両端側を７ａと７ｂとする。【００１５】    （Ｅ）自毛束６をＥＸ束７左右どちらか片側である７ａの方向で、自毛束６とＥＸ束７を片手で一緒にもち、２回転以上ねじりを加える。【００１６】    （Ｆ）自毛束６の先端側６ｂと、ＥＸ束７の他端側７ｂを交差させる。【００１７】    （Ｇ）自毛束の先端側６ｂとＥＸ束の他端側７ｂを交差させることによって、自毛束６ａを軸として全体を半回転する。【００１８】    （Ｈ）は、ＥＸ束７ａとＥＸ束７ｂを１回転ねじる工程。【００１９】    （Ｉ）Ｈは自毛束６ｂとＥＸ束７ｂを交差させることにより、自毛束６ａを軸として全体を半回転する。【００２０】    （Ｊ）はこれまでの工程の中でできた、ねじり合わせた部分のすぐ下部分で、ゴム糸１０で結びつけ、自毛束６ｂとＥＸ束７ａを一緒に片手でもち、ＥＸ束７ｂをもう片方の手でもち、双方をそれぞれ左右にひっぱる工程である。【００２１】    （Ｋ）では、（Ｊ）の工程後の最終仕上がりとなる豆粒状結び目１１を、示したものである。
【図面の簡単な説明】
【００２２】
【図１】  ＥＸ取り付け用道具の図である。
【図２】  図１のＥＸ取り付け用道具の使い方の図である。
【図３】  自毛束とＥＸ束を取り付ける工程を示す図である。
【図４】  地肌から複数本の自毛を取り分けて束ねた自毛束と、複数本のＥＸ束とを交差させ、前記自毛束との交差部の、左右のうち片側一方で自毛束とＥＸ束を一緒に２回転以上ねじり、もう片側のＥＸ束と自毛束を交差させる工程示す図である。
【図５】  豆粒状になる結び目の出来上がり状態の図である。
【符号の説明】
【００２１】  １    スティック部分
２    プラスチック板
３    切り込み部分（自毛を入れるところ）
４    切り込み止まり（自毛を固定するところ）
５    シングルピン
６    自毛束
６ａ  自毛束の地肌側
６ｂ  自毛束の先端側
７    ヘアーエクステンション（ＥＸ）束
７ａ  ＥＸ束の一端側
７ｂ  ＥＸ束の他端側
８    地肌
９    交差部
１０    ゴム糸
１１    豆粒状結び目
【図１】
2005299058.tif 000003
【図２】
2005299058.tif 000004
【図３】
2005299058.tif 000005
【図４】
2005299058.tif 000006
【図５】
2005299058.tif 000007